(57)【特許請求の範囲】
【請求項１】
放電ランプとその電源との間にインバータ式電子安定器が接続される照明器具において、前記インバータ式電子安定器（２）が、放電ランプを取り付ける器具本体（３）とは別体を成す防水ケース（４）内に収容されると共に、該防水ケース（４）と前記器具本体（３）が、両者間に隙間（Ｌ）を生じさせるステム（５）によって一体化され、前記防水ケース（４）の開口部を密閉する蓋体（１２）の内面に、前記インバータ式電子安定器（２）を構成する電子部品を搭載した配線基板（１３ａ、１３ｂ）が付設され、前記インバータ式電子安定器（２）の発熱と日射熱により前記防水ケース（４）内が一定の温度に達したときにランプの電源回路を遮断して前記電子部品の破損を防止する復帰型温度ヒューズ（１７）が、前記蓋体（１２）の内面に密接もしくは近接して設けられていることを特徴とする照明器具。
【請求項２】
前記蓋体（１２）が、外面に放熱フィン（１４）もしくはそれに類する凸部を形成した金属プレートで成る請求項１記載の照明器具。
【請求項３】
前記温度ヒューズ（１７）が、略１００℃で作動する１００℃復帰型温度ヒューズである請求項１又は２記載の照明器具。
【請求項４】
前記蓋体（１２）の内面に、前記防水ケース（４）の開口部に沿って密着させる輪状パッキンを装着するための無端状リブ（１５）が形成されて、該リブ（１５）の内側に凹部（１６）が形成されると共に、前記配線基板（１３ａ、１３ｂ）とこれに搭載した電子部品とが前記無端状リブ（１５）で囲われた前記蓋体（１２）の面内に納まるように配置されている請求項１、２又は３記載の照明器具。
【請求項５】
前記配線基板（１３ａ、１３ｂ）を絶縁性樹脂の溶融液に浸漬することによりその配線基板とこれに搭載した電子部品の表面全体に絶縁性の防湿皮膜が形成されている請求項１、２、３又は４記載の照明器具。
【請求項６】
前記防水ケース（４）に、直付け用取付金具（２１）が取り付けられている請求項１、２、３、４又は５記載の照明器具。
【発明の詳細な説明】
【０００１】
【発明の属する技術分野】
本発明は、放電ランプをインバータ式電子安定器で始動・点灯させる照明器具に係り、特に、屋外投光器として好適な照明器具に関する。
【０００２】
【従来の技術】
投光器には、放電ランプとその電源との間に鉄心（銅鉄）型安定器やインバータ式電子安定器を接続した照明器具が用いられているが、鉄心に銅線が巻かれた鉄心型安定器は、非常に重く、また、電源周波数５０Ｈｚ、６０Ｈｚ、電源電圧１００Ｖ、２００Ｖの組合せ分だけ種類が必要であり、更に、発熱温度が高く、消費電力も大きいという種々の不利な点があった。
【０００３】
これに対し、インバータ式電子安定器は、放電ランプを矩形波で始動・点灯させるインバータ回路を成す半導体素子等の電子部品によって構成されており、鉄心型安定器に比べて著しく軽量で、５０Ｈｚ、６０Ｈｚや１００Ｖ、２００Ｖの共用仕様等も可能であり、また、省電力で発熱温度も低いという利点を有している。
【０００４】
しかし、熱に弱い半導体素子等の電子部品で構成されるインバータ式電子安定器は、これを照明器具の器具本体に内蔵すると、その器具本体に取り付けられた放電ランプの熱によって耐久寿命が損なわれるおそれがある。
【０００５】
そのため、インバータ式電子安定器を器具本体から分離して、その器具本体とは別の場所に設置するようにしている。また、インバータ式電子安定器を器具本体に内蔵する場合は、放電ランプの発熱による器具本体内の温度上昇を抑制するために、器具本体を内部空間の広い大型のものにしたり、器具本体に通気孔等を形成しなければならなかった。
【０００６】
【発明が解決しようとする課題】
しかしながら、インバータ式電子安定器を内蔵する器具本体に通気孔を形成した照明器具は、これを屋外に設置すると、その通気孔から侵入する雨水や湿気でインバータ式電子安定器が故障するおそれがあるので、屋外投光器としては不向きである。また、インバータ式電子安定器を内蔵する器具本体を内部空間の広い大型のものにしたり、インバータ式電子安定器を器具本体から分離させて別の場所に設置すると、照明器具全体をコンパクトな構成にすることができない。
【０００７】
そこで本発明は、放電ランプとその電源との間にインバータ式電子安定器が接続される照明器具に関して、これを屋外投光器として使用可能で且つコンパクトな構成にすることを技術的課題としている。
【０００８】
【課題を解決するための手段】
上記の課題を解決するために、本発明は、放電ランプとその電源との間にインバータ式電子安定器が接続される照明器具において、前記インバータ式電子安定器が、放電ランプを取り付ける器具本体とは別体を成す防水ケース内に収容されると共に、該防水ケースと前記器具本体が、両者間に隙間を生じさせるステムによって一体化され、前記防水ケースの開口部を密閉する蓋体の内面に、前記インバータ式電子安定器を構成する電子部品を搭載した配線基板が付設され、前記インバータ式電子安定器の発熱と日射熱により前記防水ケース内が一定の温度に達したときにランプの電源回路を遮断して前記電子部品の破損を防止する復帰型温度ヒューズが、前記蓋体の内面に密接もしくは近接して設けられていることを特徴とする。
【０００９】
本発明によれば、インバータ式電子安定器が、防水ケース内に収容されるので、雨水や湿気によって故障を生ずるおそれがない。また、インバータ式電子安定器を収容する防水ケースは、放電ランプを取り付ける器具本体とは別体を成し、しかも、その器具本体との間に隙間を生じさせているので、放電ランプの熱によってインバータ式電子安定器の耐久寿命が損なわれるおそれがない。
【００１０】
また、インバータ式電子安定器を内蔵しない器具本体は、著しく小型化することができ、インバータ式電子安定器を収容する防水ケースも、小型のもので足り、更に、それら器具本体と防水ケースは、両者間に隙間を生じさせるステムによって一体化されるので、照明器具全体を非常にコンパクトなものにすることができる。
【００１１】
【発明の実施の形態】
以下、本発明の実施形態を図面によって具体的に説明する。
図１、図２、図３は本発明に係る照明器具の一例を示す正面図、背面図、側面図、図４は防水ケースに収容するインバータ式電子安定器の一例を示す斜視図、図５はインバータ式電子安定器の配線基板と電子部品の表面に防湿皮膜を形成する工程図である。
【００１２】
本例の照明器具は、放電ランプ１とその電源との間に接続するインバータ式電子安定器２が、放電ランプ１を取り付ける器具本体３とは別体を成す防水ケース４内に収容され、また、器具本体３と防水ケース４は、いずれもアルミダイカスト等で成り、両者間に数ｃｍ程度の隙間Ｌを生じさせる一乃至二以上のステム５、５によって一体化されている。
【００１３】
器具本体３は、その内部に放電ランプ１を取り付けるためのソケット６が設けられると共に、前面側に放電ランプ１を覆う枠体１０が設けられ、後面側に放電ランプ１の熱を放散させる放熱フィン８が形成されている。なお、枠体１０は、器具本体３の前面に対してパチン錠９で脱着自在に装着されると共に、透明又は拡散透過性の前面ガラス１１を取り付けた構成になっている。
【００１４】
防水ケース４は、その後面側に形成した開口部を密閉する蓋体１２が設けられ、該蓋体１２の内面に、インバータ式電子安定器２を構成する電子部品を搭載した配線基板１３ａ、１３ｂが付設されている。
【００１５】
防水ケース４の蓋体１２は、その外面に放熱フィン１４もしくはそれに類する凸部が形成された金属プレートで成り、防水ケース４の開口部に対してビス２４で脱着自在に取り付けられるようになっている。
【００１６】
また、蓋体１２の内面には、防水ケース４の開口部に沿って密着させる防水用の輪状パッキンを装着するための無端状リブ１５が形成されて、該リブ１５の内側に凹部１６が形成されると共に、配線基板１３ａ、１３ｂとこれに搭載した電子部品とが無端状リブ１５で囲われた蓋体１２の面内に納まるように配置されている。
【００１７】
インバータ式電子安定器２は、ランプ寿命末期の整流現象やランプ異常により生ずる発熱でインバータ回路を形成する電子部品が使用上限温度を超えて破損することを防止するために、例えば１３０℃でランプの電源回路を遮断する１３０℃復帰型温度ヒューズ（図示せず）を装備している。
【００１８】
しかし、屋外実験によれば、気温が高くて日射が強い夏期の日中に放電ランプ１が消し忘れにより点灯したままになっていると、インバータ式電子安定器２の発熱と日射熱との相乗作用により、防水ケース４内の雰囲気温度が前記１３０℃復帰型温度ヒューズの作動温度以上に急上昇して、その復帰型温度ヒューズが作動したときには、配線基板１３ａ、１３ｂに搭載された電子部品の表面温度が、既にその電子部品の使用上限温度を１０℃以上もオーバーしていることがある。
【００１９】
そこで、ランプ寿命末期の異常による発熱を検知して作動する復帰型温度ヒューズとは別個に、インバータ式電子安定器２の発熱と日射熱とによって防水ケース４内が一定の温度に達したときにランプの電源回路を遮断する復帰型温度ヒューズ１７を装備している。
【００２０】
この温度ヒューズ１７としては、略１００℃で作動する１００℃復帰型温度ヒューズが好ましく、例えば、９０℃で作動する９０℃復帰型温度ヒューズを用いて、放電ランプ１の点灯開始時刻：午後６時３０分、実照明効果：午後７時００分からと設定した場合は、真夏の西日が当る無風状態の気温３０℃の環境条件下において、その西日の日射熱と、ランプを点灯させるインバータ式電子安定器２の発熱とにより、点灯開始から約３０分後に防水ケース４内の温度が９０℃を僅かに超えて、実照明効果が必要とされる午後７時前後に温度ヒューズが作動してランプが消灯するという不具合を生ずるおそれがあることが実験により確認された。
【００２１】
これに対し、１００℃復帰型温度ヒューズ１７を用いれば、そのような不具合を生ずる危惧がない。また、該温度ヒューズ１７が、日射熱が直接伝わる防水ケース４の蓋体１２の内面に密着して付設される配線基板１３ｂに搭載してその蓋体１２の内面に密接もしくは近接して設けられていれば、ランプの消し忘れによる防水ケース４の温度上昇を速やかに感知してランプの電源を遮断するので、配線基板１３ａ、１３ｂに搭載された電子部品が使用上限温度を超えて破損するおそれを確実に解消することができる。
【００２２】
また、インバータ式電子安定器２は、雨水や湿気による故障をより確実に防止するために、配線基板１３ａ、１３ｂとこれに搭載した電子部品の表面全体に絶縁性の防湿皮膜を形成して、放水ケース４に収容されている。
【００２３】
この防湿皮膜を形成する工程は、まず、図５（１）の如く、インバータ式電子安定器２が付設された蓋体１２の内面を下向きにして、配線基板１３ａ、１３ｂをディップタンク１８内に貯留されたシリコンゴム等の絶縁性樹脂の溶融液１９に浸漬し、その溶融液１９を配線基板１３ａ、１３ｂとこれに搭載した電子部品の表面全体に付着させる。
【００２４】
次いで、図５（２）の如く、配線基板１３ａ、１３ｂをディップタンク１８内から引き揚げて、その配線基板１３ａ、１３ｂから垂れ落ちる余剰の溶融液をディップタンク１８内に滴下させた後、図５（３）の如く、蓋体１２の内面を上向きにするように反転させ、蓋体１２を台にして図４の如く立て置いた状態で、配線基板１３ａ、１３ｂと電子部品の表面に付着した絶縁性樹脂を硬化させる。
【００２５】
なお、絶縁性樹脂がシリコンゴムの場合は、図５（２）の処理姿勢で一昼夜保存して硬化させなければタレを生ずるが、配線基板１３ａ、１３ｂとこれに搭載した電子部品は、無端状リブ１５で囲われた蓋体１２の面内に納まるように配置されているので、図５（３）の状態にして配線基板１３ａ、１３ｂや電子部品の表面からタレが生じても、そのタレは、蓋体１２の無端状リブ１５の内側に形成された凹部１６内に溜まり、無端状リブ１５によって蓋体１２の外側へ流出しないように堰き止められる。
【００２６】
したがって、シリコンゴムを硬化させるために図５（２）の処理姿勢を維持して一昼夜保存する必要がないので、インバータ式電子安定器２の配線基板１３ａ、１３ｂや電子部品の表面に絶縁性の防湿皮膜を形成する作業工程が著しく簡略化される。
【００２７】
なお、防水ケース４の下面側には、インバータ式電子安定器２に接続する電源コード等を配線するキャブタイヤ２０が貫設されている。また、器具本体３と防水ケース４を一体化するステム５、５の少なくとも一つが、放電ランプ１へ電源を供給するランプコードを挿通する配管を成している。
【００２８】
また、防水ケース４には、建物の外壁等に照明器具を取り付けるための直付け用取付金具２１が取り付けられている。この取付金具２１は、コ字状に屈曲した金属バーで成り、その両端が該取付金具２１の取付角度を可変調節する角度調整ネジ２２、２２によって防水ケース４の左右両端に固定されている。なお、角度調整ネジ２２、２２の表面には、夫々放熱フィン２３が形成されている。
【００２９】
以上の如く構成された照明器具は、放電ランプ１とその電源との間に接続するインバータ式電子安定器２が防水ケース４内に収容されると共に、インバータ式電子安定器２を構成する配線基板１３ａ、１３ｂとこれに搭載した電子部品の表面全体に絶縁性の防湿皮膜が形成されているので、その電子部品が雨水や湿気によって破損するおそれがない。
【００３０】
また、インバータ式電子安定器２を収容する防水ケース４は、放電ランプ１を取り付ける器具本体３とは別体を成しており、しかも、その器具本体３との間に隙間Ｌを生じさせているので、器具本体３に取り付けた放電ランプ１の熱によってインバータ式電子安定器２の耐久寿命が損なわれるおそれもない。
【００３１】
更に、防水ケース４内に収容されるインバータ式電子安定器２が、略１００℃で作動してランプの電源回路を遮断する１００℃復帰型温度ヒューズ１７を装備しているので、ランプの消し忘れによるインバータ式電子安定器２の発熱と日射熱とによって防水ケース４内の温度が電子部品の使用上限温度を超えることを確実に防止することができる。
【００３２】
したがって、雨や日差しを直接浴びる場所に設置しても、インバータ式電子安定器２が故障を生ずるおそれがないので、屋外スポーツ施設や屋外コマーシャル施設の照明、サイン広告用照明、ライトアップ用照明等に用いる屋外投光器として好適である。
【００３３】
また、器具本体３は、インバータ式電子安定器を内蔵しないので、著しく小型化することができる。一方、防水ケース４も、インバータ式電子安定器２のみを収容すればよいので、小型のもので足りる。
【００３４】
更に、防水ケース４は、外気に直接触れる蓋体１２にインバータ式電子安定器２が付設されると共に、その蓋体１２の外面に放熱フィン１４が形成されて、インバータ式電子安定器２の熱を外部に放散させる放熱効果が高められているので、より一層小型化することができる。そして、その小型化した器具本体３と防水ケース４をステム５、５で一体化させた照明器具も、全体的に非常にコンパクトなものとなる。
【００３５】
【発明の効果】
本発明によれば、放電ランプとその電源との間にインバータ式電子安定器が接続される照明器具をコンパクト化することができると共に、照明器具をコンパクト化しても、放電ランプの熱によってインバータ式電子安定器の耐久寿命が損なわれるおそれがなく、また、照明器具を屋外に設置しても、雨水や湿気によってインバータ式電子安定器が故障を生ずるおそれがないという種々の優れた効果を有する。
【図面の簡単な説明】
【図１】本発明に係る照明器具の一例を示す正面図
【図２】図１に示す照明器具の背面図
【図３】図１に示す照明器具の側面図
【図４】防水ケースに収容するインバータ式電子安定器の一例を示す斜視図
【図５】インバータ式電子安定器の表面に防湿皮膜を形成する工程図
【符号の説明】
１………………放電ランプ
２………………インバータ式電子安定器
３………………器具本体
４………………防水ケース
５………………ステム
１２………………蓋体
１３ａ……………配線基板
１３ｂ……………配線基板
１４………………放熱フィン
１５………………無端状リブ
１６………………凹部
１７………………復帰型温度ヒューズ
２１………………直付け用取付金具
【図１】
0004511082.tif 000002
【図２】
0004511082.tif 000003
【図３】
0004511082.tif 000004
【図４】
0004511082.tif 000005
【図５】
0004511082.tif 000006